(57)【要約】【課題】簡単に組み立てることができ、生産性を向上させることができる図柄変動表示装置を提供する。【解決手段】メインリールユニット３０を、リールケース本体１０９の内部に複数個並設し、かつリールケース本体１０９の開口面をリールケースカバー１１０で覆った図柄変動表示装置であって、リールケース本体１０９の上壁及び下壁の内側に、各メインリールユニット３０におけるそれぞれの取付板３７の左右両面を挟み込んで位置決めする一対の基準突起を設けるとともに、リールケースカバー１１０の背面壁の内側に、各取付板３７の左右両面を挟み込んで位置決めする一対の背面突起１４０を設け、かつ、リールケースカバー１１０の上壁及び下壁の内側に、各取付板３７の左右いずれか一面のみを位置決めする仮突起１５２を設けた。【選択図】        図７
2004351017.tif 000002
【特許請求の範囲】
【請求項１】
複数種類の図柄を外周面に表示したリールと、
前記リールの内周側に配置され、前記リールを回転駆動する駆動部と、
前記駆動部を固定した取付板と
を含むリールユニットを、第１収容体の内部に複数個並設し、かつ前記第１収容体の開口面を第２収容体で覆った図柄変動表示装置であって、
前記第１収容体の上壁及び下壁の内側に、各前記リールユニットにおけるそれぞれの前記取付板の左右両面を挟み込んで位置決めする一対の基準突起を設けるとともに、
前記第２収容体の背面壁の内側に、各前記取付板の左右両面を挟み込んで位置決めする一対の背面突起を設け、
かつ、前記第２収容体の上壁及び下壁の内側に、各前記取付板の左右いずれか一面のみを位置決めする仮突起を設けた
ことを特徴とする図柄変動表示装置。
【発明の詳細な説明】
【０００１】
【発明の属する技術分野】
本発明は、スロットマシンや弾球遊技機等に用いられ、複数種類の図柄を外周面に表示したリールを含むリールユニットを、収容体の内部に複数個並設した図柄変動表示装置に関するものである。
【０００２】
【従来の技術】
従来より、複数種類の図柄を外周面に表示したリールと、このリールを駆動するモータ（駆動部）とを有するリールユニットを、複数個並設した図柄変動表示装置がスロットマシンや弾球遊技機に用いられている。
このような図柄変動表示装置は、リールの内周側に配置されたモータを駆動してリールを回転させるとともに制御装置の内部で抽選を行い、その抽選結果に基づいてモータの駆動を制御し、リールを所定位置に停止させるように構成されている。
【０００３】
ここで、リールユニットを所定の間隔で複数個並設するために、リールユニットの収容体に位置決め用の突起を設ける技術が知られている。すなわち、リールはモータの回転軸に固定され、モータは取付板に固定されていることから、収容体の内側に、取付板の左右両面を挟み込む一対の突起を複数設けておき、それぞれの突起をガイドとして各取付板を収容体に挿入することで、各リールユニットが一定の間隔で並ぶようにしている（例えば、特許文献１参照。）。
【０００４】
【特許文献１】
特開平８−１０３５４１号公報  （第２頁、図１−２）
【０００５】
【発明が解決しようとする課題】
しかし、前述の従来の技術では、以下の問題点があった。
すなわち、１つの収容体に一方側から取付板を差し込むだけであれば問題は生じないが、２ピース構造の収容体を用いて両側から取付板を挟み込むようにすると、収容体に設けた突起と取付板との位置合わせが難しく、作業性に問題が生じるのである。
【０００６】
この点に関してさらに詳述すると、図９は、メインリールユニット３０を３個並設した図柄変動表示装置を分解して背面側から見た斜視図である。図９において、メインリールユニット３０は、２ピース構造になっているリールケース本体１０９とリールケースカバー１１０とにより、両側から挟み込まれるようになっている。
【０００７】
そして、図９に示すように、リールケース本体１０９の下壁の内側には、右側突起１３１と左側突起１３２（以下、右側及び左側とは、背面側から見た場合を基準とする）とからなる一対の基準突起１３０が３組設けられている。また、図９では隠れて見えないため図示していないが、リールケース本体１０９の上壁の内側にも、同じ一対の基準突起が３組設けられており、リールケースカバー１１０の上壁及び下壁の内側にも、それぞれ同じ一対の突起が３組ずつ設けられている。なお、リールケースカバー１１０の上部には、放熱板１０７が配置される。
【０００８】
図９に示すような図柄変動表示装置を組み立てるには、最初に、リールケース本体１０９に各メインリールユニット３０を差し込む。すなわち、メインリールユニット３０の取付板３７を、右側突起１３１と左側突起１３２との隙間に挿入し、基準突起１３０をガイドとして、リールケース本体１０９の奥まで取付板３７を差し込むようにするのである。
すると、取付板３７の上下の前半分が、リールケース本体１０９の下壁の基準突起１３０と、上壁の基準突起（図示せず）とにより位置決めされ、３個のメインリールユニット３０が一応所定の間隔で並ぶ。
【０００９】
ただしこの段階では、取付板３７の後ろ半分に別途リールケースカバー１１０を取り付けることを考慮して、取付板３７がリールケース本体１０９に固定されていない。そのため、取付板３７と基準突起１３０とのクリアランスにより、取付板３７は多少左右に自由に動くこととなる。
ここで、メインリールユニット３０は３個並んでいるので、それぞれが別々の方向に片寄った場合には、個々のクリアランス以上に各メインリールユニット３０の間隔が変動してしまう。
【００１０】
このような状態で、図９に示すように、メインリールユニット３０の背後からリールケースカバー１１０を取り付けようとすると、リールケースカバー１１０の上壁及び下壁の内側に３組設けられている一対の突起が、リールケース本体１０９の右側突起１３１及び左側突起１３２と同じ構成であるため、その隙間と、揺れ動く各取付板３７の位置とが一致しないこととなり、的確な位置合わせが困難になる。
そのため、図柄変動表示装置の組立てに多大の工数が必要となってしまうのである。
【００１１】
したがって、本発明が解決しようとする課題は、２ピース構造の収容体を用いて両側からリールユニットを挟み込んだ図柄変動表示装置であっても、簡単に組み立てることができ、生産性を向上させることができる図柄変動表示装置を提供することである。
【００１２】
【課題を解決するための手段】
本発明は、以下の解決手段によって、上述の課題を解決する。
請求項１の発明は、複数種類の図柄を外周面に表示したリールと、前記リールの内周側に配置され、前記リールを回転駆動する駆動部と、前記駆動部を固定した取付板とを含むリールユニットを、第１収容体の内部に複数個並設し、かつ前記第１収容体の開口面を第２収容体で覆った図柄変動表示装置であって、前記第１収容体の上壁及び下壁の内側に、各前記リールユニットにおけるそれぞれの前記取付板の左右両面を挟み込んで位置決めする一対の基準突起を設けるとともに、前記第２収容体の背面壁の内側に、各前記取付板の左右両面を挟み込んで位置決めする一対の背面突起を設け、かつ、前記第２収容体の上壁及び下壁の内側に、各前記取付板の左右いずれか一面のみを位置決めする仮突起を設けたことを特徴とする。
【００１３】
請求項１の発明において、第１収容体の上壁及び下壁の内側には、各リールユニットにおけるそれぞれの取付板の左右両面を挟み込んで位置決めする一対の基準突起を設けている。
ここで、リールユニットの左右動を防止するために、作業性を犠牲にして、取付板と基準突起とのクリアランスを狭くする等の必要性は全くない。すなわち、この第１収容体は、従来の図柄変動表示装置において、リールユニットを最初に差し込むリールケース本体と同様の構成であって、少なくとも従来と同等の作業性が確保されるようになっている。
【００１４】
一方、第２収容体の背面壁の内側にも、各取付板の左右両面を挟み込んで位置決めする一対の背面突起を設けている。
これは、第１収容体の基準突起がリールユニットの前半分だけしか位置決めできないので、第２収容体の取り付けにより、リールユニットの後ろ側も位置決めして、リールユニットを正確な位置に固定できるようにするためである。そのため、第１収容体の上壁及び下壁の基準突起と、第２収容体の背面壁の背面突起とにより、必要な組立て精度が確保される。
【００１５】
そして、第２収容体の上壁及び下壁の内側には、各取付板の左右いずれか一面のみを位置決めする仮突起が設けられている。仮突起は、従来の図柄変動表示装置におけるリールケースカバーの突起のように、取付板の左右両面を挟み込む一対のものではなく、片方が省略された形状となっている。
【００１６】
このため、リールユニットの背後から第２収容体を取り付けるときには、第２収容体の上壁及び下壁の仮突起がガイドとなり、別々に左右に動く各取付板を仮突起の間隔に整列させる。これにより、各取付板の位置を背面突起に合わせる。よって、各取付板は、背面突起の隙間にスムーズに挿入される。
したがって、リールユニットの背後から第２収容体を取り付ける際に、各取付板を背面突起の隙間に挿入するための位置合わせ作業が不要となり、作業性が大幅に向上する。
【００１７】
【発明の実施の形態】
以下、図面等を参照して、本発明の一実施形態について説明する。なお、以下の実施形態では、本発明の図柄変動表示装置をスロットマシンに適用した例を挙げている。
図１は、本発明の図柄変動表示装置を取り付けた、スロットマシン１０の全体を示す前面の正面図である。また、図２は、図１中、スロットマシン１０のフロントマスク部１２を開放し、基体部１１の内部が見えるように図示した正面図である。
【００１８】
図１及び図２に示すように、スロットマシン１０は、基体部１１と、基体部１１の前面に取り付けられるフロントマスク部１２とから構成されている。
また、スロットマシン１０の内部には、リング状のメインリール３１を備えるメインリールユニット３０が配置され、本実施形態では、メインリールユニット３０を３つ並設して図柄変動表示装置を構成している（以下、３つのメインリール３１全体を指すときは、メインリール３１群という）。
さらに、スロットマシン１０の内部には、リング状のサブリール５１を備えるサブリールユニット５０が配置され、本実施形態では、サブリールユニット５０を３つ並設して図柄変動表示装置を構成している（以下、３つのサブリール５１全体を指すときは、サブリール５１群という）。
【００１９】
基体部１１は、木材等を組み立てて、前面を開口した箱形に形成したものである。この基体部１１の内部には、図２に示すように、下方部に、電源ユニット１０１及びメダルを貯留しておくホッパーを含むメダル払出し装置１０２が設けられている。
また、これらの電源ユニット１０１及びメダル払出し装置１０２上には、支持板１０３が設けられており、この支持板１０３上にサブリールユニット５０が搭載されている。
【００２０】
さらにまた、サブリールユニット５０の上方部であって、基体部１１内部における背面側には、メイン制御基板１０４が設けられている。メイン制御基板１０４は、メインリール３１群の始動及び停止制御を含む、遊技の進行等の遊技全体を統括制御するための制御基板であり、図示しないが、演算等を行うＣＰＵ、遊技プログラムを記憶したＲＯＭ、及びデータを一時的に記憶するＲＡＭ等を備えるものである。メイン制御基板１０４は、透明樹脂からなるケース１０５内に収容され、ケース１０５は、メイン制御基板１０４を収容した後にかしめられており、メイン制御基板１０４を封印している。
【００２１】
一方、フロントマスク部１２は、基体部１１の前面が開閉可能なように取り付けられており、スロットマシン１０の前面部を構成する。
フロントマスク部１２は、図１に示すように、前面側（遊技者側）に、スタートスイッチ４１及びストップスイッチ４２からなる操作スイッチ４０や、メダル投入口４３、メダル受け皿４４等が配置されている。また、操作スイッチ４０の上方部であってフロントマスク部１２の中央部には、透明なサブ表示窓１２ａが設けられている。そして、このサブ表示窓１２ａから、基体部１１内部の各サブリール５１の一部が透視できるように構成されている。
【００２２】
各サブリール５１は、回転中心部にそれぞれモータ５２（図示せず）が連結されており、このモータ５２の駆動制御により各サブリール５１の回転がそれぞれ制御される。なお、各サブリール５１の内周内側には、上下に連続する３図柄を背後から照光するためのバックランプ５３（図１参照）が固定されている。
【００２３】
また、図２に示すように、フロントマスク部１２の裏面側において、サブ表示窓１２ａが形成された領域の上側には、メインリールユニット３０及びサブ制御基板１０８を含むユニットが配置されている。そして、図１に示す透明なメイン表示窓１２ｂから、各メインリール３１の一部が透視できるように構成されている。
【００２４】
各メインリール３１は、回転中心部にそれぞれモータ３２（図示せず）が連結されており、このモータ３２の駆動制御により各メインリール３１の回転がそれぞれ制御される。なお、各メインリール３１の内周内側には、１つの図柄を背後から照光するためのバックランプ３３（図１参照）が固定されている。
【００２５】
メインリールユニット３０後部のサブ制御基板１０８は、遊技中における演出を制御する基板であって、サウンドの出力、ランプ類の点灯、サブリール５１群の動作制御等を行うものであり、上述したメイン制御基板１０４と同様に、ＣＰＵ、ＲＯＭ、及びＲＡＭ等を備えている。すなわち、上述のメイン制御基板１０４が遊技全体を統括制御し、サブ制御基板１０８は、メイン制御基板１０４の下位に属する基板で、演出の全体の制御を担当する。
このサブ制御基板１０８とメイン制御基板１０４とは、図示しないハーネスにより電気的に接続されており、メイン制御基板１０４からサブ制御基板１０８に対して演出実行指令等を送信するようになっている。
【００２６】
このように、図１及び図２に示すスロットマシン１０にあっては、前面側から見て、操作スイッチ４０の上部にサブ表示窓１２ａが配置され、そのサブ表示窓１２ａよりもさらに上部にメイン表示窓１２ｂが配置されている。そして、上部のメイン表示窓１２ｂは、中央部のサブ表示窓１２ａよりも小さく形成されている。
【００２７】
メイン表示窓１２ｂに表示される図柄は、メインリール３１群の外周面のものであって、メイン表示窓１２ｂには、停止時の各メインリール３１の図柄の組合せによる遊技結果が表示される。
これに対し、サブ表示窓１２ａに表示される図柄は、サブリール５１群の外周面のものであって、サブ表示窓１２ａには、各サブリール５１の回転若しくは停止動作、又は最終的位置における各サブリール５１の図柄の組合せのうちの少なくとも１つに基づく演出が表示される。
【００２８】
したがって、図１及び図２に示すスロットマシン１０において、上部にあるメインリールユニット３０は、従来の一般的なスロットマシンであれば、中央部に設けられているリールユニットに相当するものである。
【００２９】
しかしながら、メイン表示窓１２ｂがサブ表示窓１２ａよりも小さく形成されており、メインリールユニット３０は、基体部１１の内部ではなくフロントマスク部１２の裏面側に配置されるものであるから、全体的に小型化されている。すなわち、各メインリール３１の直径及び幅は、従来のスロットマシンで中央部に設けられているリールユニットの各リール（図１及び図２に示すスロットマシン１０で中央部に設けられているサブリールユニット５０の各サブリール５１）の直径及び幅よりも、小さくなっているのである。
【００３０】
この小型化されたメインリールユニット３０は、上述した通り、フロントマスク部１２の裏面側に配置されるが、メインリールユニット３０自体は、本発明における第１収容体に相当するリールケース本体１０９（後述する図３参照）と、本発明における第２収容体に相当するリールケースカバー（後述する図３参照）とによって両側から挟み込まれ、本発明の図柄変動表示装置の一実施形態となっている。そして、この図柄変動表示装置がフロントマスク部１２に取り付けられる。
そこで以下、メインリールユニット３０を収容した図柄変動表示装置について説明する。
【００３１】
図３は、メインリールユニット３０を有する図柄変動表示装置及びサブ制御基板１０８を含むユニットを前面側から見た斜視図である。
図３に示すように、メインリール３１を含むメインリールユニット３０は、リールケース本体１０９の内部に３個並設されている。そして、リールケース本体１０９の後側の開口面がリールケースカバー１１０で覆われ、本実施形態の図柄変動表示装置を構成している。
【００３２】
なお、メインリールユニット３０の前面側は、リールケース本体１０９の前面の開口部によって露出しているが、スロットマシンに取り付けられると、図１に示したように、メイン表示窓１２ｂで塞がれる。また、リールケースカバー１１０の上部には、放熱板１０７が取り付けられる。さらに、リールケースカバー１１０の後部には、基板ケース本体１１１が取り付けられており、この基板ケース本体１１１にサブ制御基板１０８が取り付けられ、このサブ制御基板１０８は基板ケースカバー１１２によって覆われる。
【００３３】
また、図４は、メインリールユニット３０の断面図であって、特に、リールケースカバー１１０の背面壁の内側に設けた背面突起１４０と取付板３７との嵌合部を拡大して図示している。
図４に示すように、メインリールユニット３０は、メインリール３１、モータ３２（本発明における駆動部に相当するもの）及び取付板３７を含むもので、メインリール３１とモータ３２とは、基準片形成部材３６を介在させて、中継軸３４により連結されている。すなわち、モータ３２の回転軸３２ａに中継軸３４を挿入するとともに、ネジ３９によってメインリール３１と中継軸３４とを固定している。
【００３４】
なお、基準片形成部材３６は、その基準片３６ａと、取付板３７に取り付けられるとともに、基準片３６ａの通過を読取り可能な位置に設けられたセンサ（図示せず）とにより、メインリール３１の基準位置を特定するものである。したがって、この基準位置からの移動量（モータ３２がステッピングモータの場合にはステップ数）を演算することにより、図柄位置を判定しつつ停止すべき位置にメインリール３１が停止する。
【００３５】
そして、このようなメインリールユニット３０は、リールケース本体１０９及びリールケースカバー１１０に設けられた一対の突起（リールケース本体１０９の基準突起１２０、１３０と、リールケースカバー１１０の背面突起１４０）の隙間に取付板３７を挿入することで、一定の間隔に並ぶ。
【００３６】
すなわち、図４に拡大して図示するように、リールケースカバー１１０の背面壁の内側に設けた背面突起１４０と取付板３７とが嵌合し、メインリールユニット３０が位置決めされるのである。なお、図４には示していないが、リールケース本体１０９の上壁及び下壁の内側にも一対の基準突起１２０、１３０が設けられ、背面突起１４０の場合と同様に取付板３７と嵌合し、メインリールユニット３０が位置決めされる。
【００３７】
図５は、本発明における第１収容体に相当するリールケース本体１０９を示す背面図である。
図５に示すように、リールケース本体１０９の上壁の内側には、右側突起１２１と左側突起１２２とからなる一対の基準突起１２０が３組設けられ、さらに、下壁の内側にも、基準突起１２０に対向して、右側突起１３１と左側突起１３２とからなる一対の基準突起１３０が３組設けられている。なお、リールケース本体１０９の正面及び背面は開口しているが、正面側の開口面はメイン表示窓１２ｂ（図１参照）で塞がれ、背面側の開口面１０９ａはリールケースカバー１１０（図３参照）で覆われる。
【００３８】
また、図６は、本発明における第２収容体に相当するリールケースカバー１１０を示す正面図である。
図６に示すように、リールケースカバー１１０の背面壁の内側には、図５に示したリールケース本体１０９の基準突起１２０及び基準突起１３０に対応する位置に、右側突起１４１と左側突起１４２とからなる一対の背面突起１４０が３組設けられている（上記した通り、右側及び左側とは背面側から見た場合が基準であるから、図６の正面図では左右方向が逆になっている）。
【００３９】
さらに、上壁の内側には、背面突起１４０の一方の突起（本実施形態では、右側突起１４１）に対応する位置に、仮突起１５１が３個設けられ、下壁の内側にも、仮突起１５１に対向して、仮突起１５２が３個設けられている。
【００４０】
次に、本実施形態の図柄変動表示装置の組立て作業、すなわち、図４に示すメインリールユニット３０を、図５に示すリールケース本体１０９の内部に３個並設し、リールケース本体１０９の開口面１０９ａを、図６に示すリールケースカバー１１０で覆い、図柄変動表示装置とする作業について説明する。
【００４１】
組立ては、まず最初に、リールケース本体１０９に各メインリールユニット３０を差し込む。すなわち、メインリールユニット３０の取付板３７を、図５に示すリールケース本体１０９の上壁の基準突起１２０（右側突起１２１と左側突起１２２との隙間）及び下壁の基準突起１３０（右側突起１３１と左側突起１３２との隙間）に挿入し、基準突起１２０、１３０をガイドとして、リールケース本体１０９の奥まで取付板３７を差し込むのである。
すると、図５に２点鎖線で図示したように、取付板３７の上下の前半分が、基準突起１２０、１３０によって位置決めされる。
【００４２】
同様にして３個のメインリールユニット３０をすべて差し込んだ後、各メインリールユニット３０の背後からリールケースカバー１１０を取り付けるのであるが、この際、図６に示すリールケースカバー１１０の仮突起１５１、１５２を利用する。すなわち、取付板３７と基準突起１２０、１３０とのクリアランスにより、取付板３７が多少左右に片寄っている場合でも、仮突起１５１、１５２で位置合わせをするのである。
【００４３】
図７は、リールケースカバー１１０の取付け動作を示す説明図であり、リールケースカバー１１０の下壁の仮突起１５２と、メインリールユニット３０の取付板３７との関係を示している。
図７（Ａ）に示すように、リールケース本体１０９から露出したメインリールユニット３０に対し、取付板３７の左側に仮突起１５２が位置するように（大雑把な位置で良い）、リールケースカバー１１０をある程度まで被せる（２点鎖線の上矢印は、リールケースカバー１１０の動きを示すものである）。
【００４４】
次に、図７（Ｂ）に示すように、リールケースカバー１１０を右側に移動させる（２点鎖線の右矢印）。すると、仮突起１５２が取付板３７に当接し、片寄った取付板３７の位置を矯正するので、取付板３７の位置が背面突起１４０と一致するようになる。
この状態で、メインリールユニット３０にリールケースカバー１１０を被せる（２点鎖線の上矢印）と、仮突起１５２が取付板３７の位置を矯正しつつガイドとなり、取付板３７が簡単に、背面突起１４０の右側突起１４１と左側突起１４２との隙間に嵌まり込む。なお、図７には示していないが、上壁の仮突起１５１も全く同様の作用をする。
【００４５】
そして最後に、リールケース本体１０９の固定穴１０９ｂ（図５参照）と、リールケースカバー１１０の固定部１１０ａ（図６参照）とを利用して取付板３７をネジ止めすれば、各メインリールユニット３０が、リールケース本体１０９及びリールケースカバー１１０の内部に所定の間隔で固定され、本実施形態の図柄変動表示装置が組み立てられる。
【００４６】
なお、図３に示すように、組み立てられた図柄変動表示装置のリールケースカバー１１０の上部に放熱板１０７を取り付け、さらに、リールケースカバー１１０の後部に基板ケース本体１１１、サブ制御基板１０８及び基板ケースカバー１１２を取り付けることにより、図３のユニットとなる。また、図１及び図２に示すように、図３のユニットをフロントマスク部１２の裏面側に配置する。
【００４７】
図８は、本発明の図柄変動表示装置の他の実施形態を示す図であって、リールケース本体１０９及びリールケースカバー１１０のみ示してある。
図８に示すリールケースカバー１１０の背面突起１４０は、断面Ｙ字状になっており、右側突起１４１及び左側突起１４２の先端部がそれぞれ外側に開いて案内部１４１ａ、１４２ａを構成している。そのため、背面突起１４０の高さが低くても、取付板３７（図示せず）が一層簡単に嵌まり込むようになる。
【００４８】
また、図８に示すような断面Ｙ字状の背面突起１４０は、右側突起１４１及び左側突起１４２の両脇から挿入して案内部１４１ａ、１４２ａの下側を形成する下型と、背面突起１４０の上方に位置して案内部１４１ａ、１４２ａの上側を形成する上型との上下２分割の金型によって成型される。したがって、図８に示すように断面Ｙ字状とし、背面突起１４０の高さを低くできることは、金型の製作が容易になり、必要な金型強度も確保できることとなる。
【００４９】
なお、上記実施形態では、図柄変動表示装置をスロットマシン１０に適用した例を挙げたが、本発明の図柄変動表示装置は、例えば弾球遊技機等の各種の遊技機に適用することができる。
【００５０】
【発明の効果】
請求項１の発明によれば、第１収容体の上壁及び下壁の内側に、各リールユニットにおけるそれぞれの取付板の左右両面を挟み込んで位置決めする一対の基準突起を設けるとともに、第２収容体の背面壁の内側に、各取付板の左右両面を挟み込んで位置決めする一対の背面突起を設け、かつ、第２収容体の上壁及び下壁の内側に、各取付板の左右いずれか一面のみを位置決めする仮突起を設けたので、仮突起がガイドとなり、基準突起に差し込んだ各取付板と、背面突起との正確かつ簡易な位置合わせが可能となる。そのため、図柄変動表示装置の組立て作業性が大幅に向上する。
【図面の簡単な説明】
【図１】本発明の実施形態の図柄変動表示装置をスロットマシンに適用した例を示す正面図である。
【図２】図１中、スロットマシンのフロントマスク部を開放し、基体部の内部が見えるように図示した正面図である。
【図３】フロントマスク部の裏面側に取り付けられているメインリールユニット及びサブ制御基板を含むユニットを前面側から見た斜視図である。
【図４】メインリールユニットの断面図であって、特に、リールケースカバーの背面壁の内側に設けた背面突起と取付板との嵌合部を拡大して図示したものである。
【図５】本発明における第１収容体に相当するリールケース本体を示す背面図である。
【図６】本発明における第２収容体に相当するリールケースカバーを示す正面図である。
【図７】リールケースカバーの取付け動作を示す説明図であり、リールケースカバーの下壁の仮突起と、メインリールユニットの取付板との関係を示すものである。
【図８】本発明の他の実施形態の図柄変動表示装置（リールケース本体及びリールケースカバーのみ）を示す図である。
【図９】メインリールユニットを３個並設した図柄変動表示装置を分解して背面側から見た斜視図である。
【符号の説明】
１０  スロットマシン
１１  基体部
１２  フロントマスク部
１２ａ  サブ表示窓
１２ｂ  メイン表示窓
３０  メインリールユニット
３１  メインリール
３２  モータ
３２ａ  回転軸
３３  バックランプ
３４  中継軸
３６  基準片形成部材
３６ａ  基準片
３７  取付板
３９  ネジ
４０  操作スイッチ
４１  スタートスイッチ
４２  ストップスイッチ
４３  メダル投入口
４４  メダル受け皿
５０  サブリールユニット
５１  サブリール
５２  モータ
５３  バックランプ
１０１  電源ユニット
１０２  メダル払出し装置
１０３  支持板
１０４  メイン制御基板
１０５  ケース
１０７  放熱板
１０８  サブ制御基板
１０９  リールケース本体
１０９ａ  開口面
１０９ｂ  固定穴
１１０  リールケースカバー
１１０ａ  固定部
１１１  基板ケース本体
１１２  基板ケースカバー
１２０  基準突起
１２１  右側突起
１２２  左側突起
１３０  基準突起
１３１  右側突起
１３２  左側突起
１４０  背面突起
１４１  右側突起
１４１ａ  案内部
１４２  左側突起
１４２ａ  案内部
１５１  仮突起
１５２  仮突起
【図１】
2004351017.tif 000003
【図２】
2004351017.tif 000004
【図３】
2004351017.tif 000005
【図４】
2004351017.tif 000006
【図５】
2004351017.tif 000007
【図６】
2004351017.tif 000008
【図７】
2004351017.tif 000009
【図８】
2004351017.tif 000010
【図９】
2004351017.tif 000011